(57)【特許請求の範囲】
【請求項１】
樹脂成形品からなり、プロテクタ本体に設けられたワイヤハーネス挿通路の出入口に連続して粘着テープまたはタイバンド巻付用の断面Ｌ形状とした巻付片を備え、
前記巻付片の側壁から底壁にかけて、ワイヤハーネスの挿通方向の長さ方向と直交する方向にＬ形状のスリット穴を長さ方向に間隔をあけて一対設け、該一対のスリット穴に挟まれた領域は前記側壁および底壁の肉厚より薄くして撓みやすい可動部分とし、かつ、
前記可動部分となる前記側壁の上端と底壁の先端とにタイバンド嵌合凹部を対向して切り欠き、
前記断面Ｌ形状の巻付片の内面側にワイヤハーネスの電線群を通し、該電線群の外周から前記巻付片の外周面に粘着テープまたはタイバンドを巻き付けた時に、前記可動部分をワイヤハーネスの外周面に沿って変形させる形状としていることを特徴とするワイヤハーネス用のプロテクタ。
【請求項２】
前記一対のスリット穴に挟まれた可動部分の側壁と底壁の両端部分に、長さ方向に延在する溝を間隔をあけて平行に形成して蛇腹状ヒンジ部を設け、かつ、該蛇腹状ヒンジ部に挟まれた部分は傾斜面としている請求項１に記載のワイヤハーネス用のプロテクタ。
【請求項３】
樹脂成形品からなり、プロテクタ本体に設けられたワイヤハーネス挿通路の出入口に連続して、粘着テープまたはタイバンド巻付用の断面Ｌ形状とした巻付片を備え、
前記巻付片の側壁と底壁のいずれか一方に、スリット穴を長さ方向に間隔をあけて一対設ける一方、前記側壁と底壁のいずれか他方に両側が前記一対のスリット穴の両方と連続した矩形穴を設け、かつ、前記スリット穴に挟まれた底壁または側壁の先端を前記矩形穴を貫通させて突出させてサポート片として設け、
前記スリット穴と矩形穴を設けると共に前記サポート片を設けた領域を粘着テープ巻き付け領域とし、かつ、
前記スリット穴に挟まれた前記底壁または側壁の先端にタイバンド嵌合凹部を切り欠くと共に、前記矩形穴を設けた前記側壁または底壁の先端の前記タイバンド嵌合凹部と対向した位置にタイバンド嵌合凹部を切り欠き、
前記断面Ｌ形状の巻付片の内面側にワイヤハーネスの電線群を通し、該電線群の外周から前記巻付片の外周面に粘着テープまたはタイバンドを巻き付けた時に、前記一対のスリット穴に挟まれた部分および前記サポート片をワイヤハーネスの外周面に沿って変形させる形状としていることを特徴とするワイヤハーネス用のプロテクタ。
【請求項４】
前記巻付片の側壁の上端にヒンジ部を介して上面押さえ片を設け、該上面押さえ片の突出先端側の一部を前記タイバンド嵌合凹部側へ突出させ、該上面押さえ片に粘着テープを巻き付け又はタイバンドを巻き付けてワイヤハーネスの上面側を押さえる構成としている請求項１乃至請求項３のいずれか１項に記載のワイヤハーネス用のプロテクタ。
【発明の詳細な説明】
【技術分野】
【０００１】
本発明はワイヤハーネス用のプロテクタに関し、詳しくは、プロテクタ内を貫通させたワイヤハーネスをプロテクタの出入口に突設した巻付片に粘着テープまたはタイバンドで巻き付けているものにおいて、前記テープ巻付片の形状を改良して、ワイヤハーネスの位置ずれ発生を無くしてワイヤハーネスへの保持力を高めるものである。
【背景技術】
【０００２】
自動車に配索されるワイヤハーネスを、配索経路の所要箇所で経路規制および外部干渉材からの保護を兼ねて、樹脂成型品からなるプロテクタに貫通させている。
該プロテクタは、図９（Ａ）（Ｂ）に示すように、樋形状の本体１００と蓋１０１とからなり、本体１００にワイヤハーネスＷ／Ｈを挿通した後に蓋１０１を被せ、本体１００と蓋１０１とから形成される貫通穴１０２にワイヤハーネスＷ／Ｈを挿通している。該プロテクタにワイヤハーネスを固定するため、プロテクタの本体１００の長さ方向の両端の出入口にテープ巻き片１０４と１０５を突設し、該テープ巻き片１０４、１０５の外周からワイヤハーネスＷ／Ｈの外周面にかけて粘着テープ１０７Ａ、１０７Ｂを巻き付けて固着している。
【０００３】
前記テープ巻き片１０４、１０５は、本体１００の底壁１００ａを突出させた平板形状とする場合も多いが、ワイヤハーネスへの保持力を高めるために、本体１００の一方の側壁１００ｂと底壁１００ａとを延長して断面Ｌ形状とした場合も多い。
【０００４】
また、本出願人は、特開平７−３２２４４１号公報において図１０（Ａ）（Ｂ）に示すプロテクタを提供している。該プロテクタでは断面Ｌ形状としたテープ巻き片１０４の側壁１０４ｂの先端および底壁１０４ａの先端からそれぞれ可撓性を有する舌状とした電線サポート板１５０、１６０を突設している。これら電線サポート片１５０、１６０に巻き付ける粘着テープ１０７により変形させて、ワイヤハーネスの電線群の外周に密着させている。
【０００５】
前記図９よび図１０に示す略断面Ｌ形状としたテープ巻き片を設けたプロテクタでは、図１１に示すように、底壁１０４ａと側壁１０４ｂとの内面側の境界位置でワイヤハーネスＷ／Ｈとの間に空隙Ｃが発生する。該空隙Ｃは粘着テープ１０７を強く巻き付けても無くすことはできない。
また、粘着テープに代えてプロテクタ本体と一体成形した締結バンドまたは別体の樹脂成形品の締結バンド（タイバンド）を巻き付けて締結する場合もあるが、この場合にも空隙Ｃをなくすことはできない。
【０００６】
前記空隙Ｃが存在することで、ワイヤハーネスＷ／Ｈの外周からテープ巻き片の外周にかけて粘着テープやタイバンドを巻き付けてもワイヤハーネスＷ／Ｈのずれを無くすことは難しい。ワイヤハーネスＷ／Ｈが位置ずれすると、粘着テープの場合にはワイヤハーネスに対する粘着力がなくなり、粘着テープが外れやすくなる。特に、高圧洗浄水がかかると粘着テープは剥がれてしまう可能性が高い。一方、タイバンドで締結している場合、ワイヤハーネスの電線がタイバンドと摺接して電線に損傷が発生する恐れがある。
【先行技術文献】
【特許文献】
【０００７】
【特許文献１】特開平７−３２２４４１号公報
【発明の概要】
【発明が解決しようとする課題】
【０００８】
本発明は前記問題に鑑みてなされたもので、ワイヤハーネス用のプロテクタにおいて、断面Ｌ形状としたテープ巻き片とワイヤハーネスとの間に発生する空隙を無くし、ワイヤハーネスを位置ずれさせないようにして、ワイヤハーネスに対するプロテクタの保持力を高めることを課題としている。
【課題を解決するための手段】
【０００９】
前記課題を解決するため、第一の発明として、樹脂成形品からなり、プロテクタ本体に設けられたワイヤハーネス挿通路の出入口に連続して粘着テープまたはタイバンド巻付用の断面Ｌ形状とした巻付片を備え、
前記巻付片の側壁から底壁にかけて、ワイヤハーネスの挿通方向の長さ方向と直交する方向にＬ形状のスリット穴を長さ方向に間隔をあけて一対設け、該一対のスリット穴に挟まれた領域は前記側壁および底壁の肉厚より薄くして撓みやすい可動部分とし、かつ、
前記可動部分となる前記側壁の上端と底壁の先端とにタイバンド嵌合凹部を対向して切り欠き、
前記断面Ｌ形状の巻付片の内面側にワイヤハーネスの電線群を通し、該電線群の外周から前記巻付片の外周面に粘着テープまたはタイバンドを巻き付けた時に、前記可動部分をワイヤハーネスの外周面に沿って変形させる形状としていることを特徴とするワイヤハーネス用のプロテクタを提供している。
【００１０】
前記構成のプロテクタでは、一対のスリット穴に挟まれた可動部分を粘着テープまたはタイバンドの巻き付け時にワイヤハーネスの外周面に沿うように湾曲させる。
其の際、スムーズに変形できるように、可動部分の肉厚は前記底壁および側壁の肉厚よりも薄くしているためたわみ易い。
これにより、断面Ｌ形状とした巻付片の角部内面とワイヤハーネスとの間に空隙が生じるのを防止でき、ワイヤハーネスの位置ずれ発生を無くすことができる。
かつ、粘着テープとタイバンドとを選択的に用いることができる利点もある。
【００１１】
前記一対のスリット穴に挟まれた可動部分の側壁と底壁の両端部分に、長さ方向に延在する溝を間隔をあけて平行に形成して蛇腹状ヒンジ部を設け、かつ、該蛇腹状ヒンジ部に挟まれた部分は傾斜面としてもよい。
前記のように、可動部分の両端に蛇腹状ヒンジ部を設けると、粘着テープまたはタイバンドの巻き付け時に可動部分がワイヤハーネスの外周面に沿って変形しやすくなり、かつ、側壁と底壁の境界の角部を無くして傾斜面としているため、ワイヤハーネスの外周面に更に添わせやすくすることができる。
【００１２】
また、第二の発明として、樹脂成形品からなり、プロテクタ本体に設けられたワイヤハーネス挿通路の出入口に連続して、粘着テープまたはタイバンド巻付用の断面Ｌ形状とした巻付片を備え、
前記巻付片の側壁と底壁のいずれか一方に、スリット穴を長さ方向に間隔をあけて一対設ける一方、前記側壁と底壁のいずれか他方に両側が前記一対のスリット穴の両方と連続した矩形穴を設け、かつ、前記スリット穴に挟まれた底壁または側壁の先端を前記矩形穴を貫通させて突出させてサポート片として設け、
前記スリット穴と矩形穴を設けると共に前記サポート片を設けた領域を粘着テープ巻き付け領域とし、かつ、
前記スリット穴に挟まれた前記底壁または側壁の先端にタイバンド嵌合凹部を切り欠くと共に、前記矩形穴を設けた前記側壁または底壁の先端の前記タイバンド嵌合凹部と対向した位置にタイバンド嵌合凹部を切り欠き、
前記断面Ｌ形状の巻付片の内面側にワイヤハーネスの電線群を通し、該電線群の外周から前記巻付片の外周面に粘着テープまたはタイバンドを巻き付けた時に、前記一対のスリット穴に挟まれた部分および前記サポート片をワイヤハーネスの外周面に沿って変形させる形状としていることを特徴とするワイヤハーネス用のプロテクタを提供している。
【００１３】
前記のように、第二の発明では、可動部分とする一対のスリット穴に挟まれた部分を他方の矩形穴を貫通させて突出させたサポート片とし、該サポート片の先端はフリーであるため、粘着テープまたはタイバンドを締結した時に、前記スリット穴に挟まれた部分からサポート片に連続した部分がワイヤハーネスの外周面に密着するように湾曲させることができる。よって、ワイヤハーネスに対する保持力を高めることができ、ワイヤハーネスの位置ずれ発生を確実に防止できる。
【００１４】
さらに、前記第一の発明および第二の発明のいずれも、側壁の上端にヒンジ部を介して上面押さえ片を設け、該上面押さえ片の突出先端側の一部を前記タイバンド嵌合凹部側へ突出させ、該上面押さえ片に粘着テープを巻き付け又はタイバンド巻き付けてワイヤハーネスの上面側を押さえるようにしてもよい。
【００１５】
プロテクタ本体には、一方の側壁の先端にヒンジ部を介して蓋を設け、または、別体の蓋を設けているが、本体から突出した前記巻付片は前記蓋で覆われない。よって、前記上面押さえ片を設けて、ワイヤハーネスの上面に被せると、ワイヤハーネスを上方に位置する外部干渉材から保護することができる。
【００１６】
前記巻付片の可動部分が粘着テープまたはタイバンドの巻き付け時に巻付力でワイヤハーネスの外面に沿って変形しやすいように、少なくとも可動部分の肉厚は従来の巻付片の肉厚よりも薄くし、０．５ｍｍ〜１．０ｍｍ程度とすることが好ましい。
【発明の効果】
【００１７】
前記のように、本発明のプロテクタは、ワイヤハーネスを固定するための断面Ｌ形状とした粘着テープまたはタイバンドの巻付片に、ワイヤハーネスとの間に空隙を発生させないため、一対のスリット穴を設け、該スリット穴に挟まれた部分を可動部分としている。この可動部分を設けることにより、巻付片の内面側にワイヤハーネスの電線群を通し、該ワイヤハーネスの外周面から巻付片の前記可動部分の外周面に沿って粘着テープまたはタイバンドを強く巻き付けると、スリット穴に挟まれた可動部分はスムーズにワイヤハーネスの外周面に沿うように湾曲する。これにより、ワイヤハーネスと巻付片との間に空隙が発生せず、ワイヤハーネスが巻付片から位置ずれするのを防止できる。
かつ、ワイヤハーネスが位置ずれしないことにより、粘着テープの粘着力の低下を抑制し、粘着テープに高圧洗浄水がかかっても外れにくくできる。かつ、樹脂成形品のタイバンドを巻き付けた場合に、ワイヤハーネスの電線がタイバンドと摺接して外傷が発生する恐れもない。
【図面の簡単な説明】
【００１８】
【図１】本発明の第１実施形態のプロテクタを示し、（Ａ）は要部斜視図、（Ｂ）は（Ａ）のＢ−Ｂ線断面図である。
【図２】前記プロテクタにワイヤハーネスを通した状態を示す斜視図である。
【図３】（Ａ）は図２の断面図、（Ｂ）はテープで巻き付けた状態の断面図、（Ｃ）はテープ巻き状態の斜視図である。
【図４】テープにかえてバンドで巻き付けた状態を示し、（Ａ）は斜視図、（Ｂ）は断面図である。
【図５】第２実施形態のプロテクタを示す斜視図である。
【図６】（Ａ）は図５のＡ−Ａ線断面図、（Ｂ）はバンド巻き時の可動部分の変形を示す断面図である。
【図７】第３実施形態を示し、（Ａ）は斜視図、（Ｂ）は側面図である。
【図８】（Ａ）は図７（Ａ）のＡ−Ａ線断面図、（Ｂ）はバンド巻き時の可動部分の変形を示す断面図である。
【図９】（Ａ）（Ｂ）は従来例を示す図面である。
【図１０】（Ａ）（Ｂ）は他の従来例を示す図面である。
【図１１】従来例の問題点を示す断面図である。
【発明を実施するための形態】
【００１９】
以下、本発明のワイヤハーネス用のプロテクタの実施形態を図面を参照して説明する。  本発明の樹脂成形品からなるプロテクタは自動車に配索するワイヤハーネスの所要領域に取り付けられるものである。
以下のいずれの実施形態のプロテクタも、略樋形状の本体と該本体とヒンジ部を介して一体に設けた蓋、または別体の蓋を備え、本体に蓋を被せてワイヤハーネス挿通路を設けている。なお、プロテクタは本体と一体に蓋を設けた場合、本体と蓋とを別体に設けた場合のいずれでもよい。
【００２０】
図１乃至図４に第１実施形態のプロテクタを示す。
プロテクタの本体１は底壁１ａと両側壁１ｂ、１ｃとからなる樋形状であり、該底壁１ａと両側壁１ｂ、１ｃでワイヤハーネス挿通路２を囲み、該ワイヤハーネス挿通路２の長さ方向の両端を出入口３として開口している。
前記出入口３となる本体１の長さ方向の両端に断面Ｌ形状の巻付片５を突設している。該巻付片５は粘着テープと樹脂成形品のタイバンドのいずれを用いてもよい形状としており、粘着テープとタイバンドとが選択して取り付けられる。
なお、本体１の長さ方向の中間部にワイヤハーネスの幹線から分岐した枝線出口がある場合には、前記巻付片５と同様な巻付片５を設けてもよい。
【００２１】
前記巻付片５は、本体１の底壁１ａの先端と一方の側壁１ｂの先端を突出させて設けた底壁６と側壁７とからなる。巻付片５の底壁６は本体の底壁１ａの幅方向の半側部を突設させて形成し、側壁７も本体側壁１ｂの下半側部を突設して形成している。
【００２２】
巻付片５の側壁７から底壁６にかけて、Ｌ形状のスリット穴８、９を長さ方向に間隔をあけて一対設け、該一対のスリット穴８、９に挟まれた領域を可動部分１０としている。前記スリット穴８、９は側壁７の上端７ａとの間に距離あけ、かつ、底壁６の先端６ａからも距離をあけている。
図１（Ｂ）に示すように、スリット穴８、９の間の可動部分１０の肉厚ｔ１は、底壁６および側壁７の肉厚ｔ２よりも薄くし（ｔ１＜ｔ２）とし、撓み易くしている。
【００２３】
前記可動部分１０の上部の側壁上端７ａと底壁先端６ａとに、それぞれタイバンド嵌合凹部１１、１２を対向して切り欠いている。該タイバンド嵌合凹部１１、１２の幅は図４に示すタイバンド２０のバンド部２１を挿通できる大きさとしている。
【００２４】
さらに、前記タイバンド嵌合凹部１１に隣接した位置の側壁上端７ａには薄肉ヒンジ部１３を介して上面押さえ片１４を突設している。該上面押さえ片１４は倒Ｌ形状とし、タイバンド嵌合凹部１１の上方に突出する突出部１４ａを設けている。該突出部１４ａを設けることで、図４（Ｂ）に示すように、タイバンド嵌合凹部１１にタイバンド２０のバンド部２１を挿入して巻き付けた時に、倒伏させた上面押さえ片１４の突出部１４ａの上面にバンド部２１を巻き付けられるようにしている。
前記上面押さえ片１４の肉厚は前記可動部分１０の肉厚と同程度の薄さとし、テープまたはバンド巻き時にスムーズに変形するようにしている。
【００２５】
さらに、巻付片５の底壁６および側壁７の長さ方向先端には、それぞれリブ６ｒ、７ｒを設け、粘着テープを巻き付けた時に粘着テープの滑り止めとしている。
【００２６】
前記構成としたプロテクタの本体１をワイヤハーネスＷ／Ｈに取り付ける工程について説明する。
図２および図３（Ａ）に示すように、本体１のワイヤハーネス挿通路２にワイヤハーネスＷ／Ｈの電線群を通す。ついで、前記巻付片５の内面側に挿通するワイヤハーネスＷ／Ｈの外周面から巻付片５の外面にかけてタイバンド２０または粘着テープ２５を巻き付けて固定する。其の際、前以て、ワイヤハーネスＷ／Ｈの上面には上面押さえ片１４を倒して被せて、該上面押さえ片１４の外面にタイバンド２０または粘着テープ２５を巻き付ける。
【００２７】
粘着テープ２５を巻き付ける場合は、図３（Ｂ）（Ｃ）に示すように、巻付片５の可動部分１０の外面からワイヤハーネスＷ／Ｈの外面、さらに、ワイヤハーネスの上面に被せた上面押さえ片１４の外面に沿って巻き付ける。この粘着テープ２５の巻き付けにより、タイバンド巻き付け時と同様に可動部分１０がワイヤハーネスの外面に沿って変形して密着し、空隙を発生させない。よって、タイバンドでの締結時と同様にワイヤハーネスの位置ずれ発生を防止できる。
【００２８】
タイバンド２０を巻き付ける場合は、図４に示すように、タイバンド嵌合凹部１１、１２にタイバンド２０のバンド部２１を通し、該バンド部２１を巻付片５の可動部分１０の外面に巻き付けると共に、ワイヤハーネスＷ／Ｈの外周面、さらにワイヤハーネスＷ／Ｈの上面に被せた上面押さえ片１４の外面に巻き付け、タイバンド部２０の締結部本体２２にバンド部２１を通して締結する。
【００２９】
前記タイバンド２０の巻き付け時に、スリット穴８、９に挟まれた可動部分１０は撓み易くなっているため、タイバンド２０による締付力でワイヤハーネスＷ／Ｈの外形に沿って湾曲し、図４（Ｂ）に示すように可動部分１０の底壁６と側壁７はワイヤハーネスＷ／Ｈの外面に密着し空隙がなくなる。これにより、ワイヤハーネスＷ／Ｈが巻付片５に対して移動して位置ずれが生じるのを防止できる。
【００３０】
図５および図６に第２実施形態のプロテクタを示す。
第１実施形態のプロテクタとの相違点はスリット穴８と９に挟まれた可動部分１０において、側壁７と連続する上端部分と底壁６と連続する先端部分との両方に、長さ方向に延在する凹部を間隔をあけて平行に設けた蛇腹状ヒンジ部２６（２６Ａ、２６Ｂ）を設けている。かつ、蛇腹状ヒンジ部２６Ａと２６Ｂに挟まれた部分に傾斜面２８を設けている。
他の構成は第１実施形態と同様であるため、同一符号を付して説明を省略する。
【００３１】
前記のように、可動部分１０の両端に蛇腹状ヒンジ部２６Ａと２６Ｂを設けると、粘着テープまたはタイバンドを可動部分１０に巻き付け時、図６（Ｂ）に示すように、蛇腹状ヒンジ部２６Ａ、２６Ｂが屈曲し、可動部分１０がワイヤハーネスＷ／Ｈの外周面に沿ってより変形しやすくなる。
かつ、側壁７と底壁６の境界の角部を無くして傾斜面２８としているため、ワイヤハーネスの外周面に更に添わせやすくすることができる。
【００３２】
図７および図８に第３実施形態のプロテクタを示す。
該プロテクタは、巻付片５の底壁６には一対のスリット穴３２、３３を設けているが、側壁７にはスリット穴を設けず、底壁の両側のスリット穴３２と３３とに両側部分が連通した矩形穴３５を大きくあけている。かつ、前記スリット穴３２と３３に挟まれた底壁６の先端から矩形穴３５を貫通させて外方へ突出したサポート片３６を突設している。
このように、第３実施形態のプロテクタでは、可動部分１０は底壁６のスリット穴３２と３３に囲まれた部分とサポート片３６から形成している。
【００３３】
前記スリット穴３２と３３と矩形穴３５を設けると共に前記サポート片３６を設けた領域が可動部分１０に相当するとともに、粘着テープ巻き付け領域としている。前記サポート片３６の肉厚は上面押さえ片１４と同程度に薄くして容易にたわむようにしている。
かつ、スリット穴３２と３３に挟まれた底壁６の先端にタイバンド嵌合凹部１２を切り欠くと共に、前記矩形穴３５を設けた側壁７の先端に、前記タイバンド嵌合凹部１２と対向した位置に、タイバンド嵌合凹部１１を切り欠いて設けている。
他の構成は前記第１実施形態と同様であり、同一符号を付して説明を省略する。
【００３４】
前記プロテクタにおいても、断面Ｌ形状の巻付片５の内面側にワイヤハーネスの電線群を通した後、該電線群の外周から、巻付片５の底壁６のスリット穴３２と３３の間の可動部分１０の外周面、サポート片３６の外周面、さらに上面押さえ片１４の外面にかけてタイバンド２０または粘着テープ２５を巻き付ける。この巻き付けにより、一対のスリット穴３２と３３に挟まれた可動部分１０および該部分に連続するサポート片３６がワイヤハーネスの外周面に沿って変形し、空隙を発生させない。
【００３５】
なお、上記第３実施形態では、側壁７に矩形穴を空けているが、底壁６側に矩形穴を空け、側壁７に一対のスリット穴を設けるとともに、下方へ突出したサポート片を設けてもよい。
【符号の説明】
【００３６】
１  プロテクタの本体  
５  巻付片
６  底壁
７  側壁
８、９  スリット穴
１０  可動部分
１１、１２  タイバンド嵌合凹部
１４  上面押さえ片
２０  タイバンド
２５  粘着テープ
【図１】
0005510064.tif 000002
【図２】
0005510064.tif 000003
【図３】
0005510064.tif 000004
【図４】
0005510064.tif 000005
【図５】
0005510064.tif 000006
【図６】
0005510064.tif 000007
【図７】
0005510064.tif 000008
【図８】
0005510064.tif 000009
【図９】
0005510064.tif 000010
【図１０】
0005510064.tif 000011
【図１１】
0005510064.tif 000012